(57)【要約】【課題】  開口幅が大きくても全開時の雨戸の側方突出量を抑えることができると共に耐風圧性、日射遮蔽性及び防犯性の向上が図れる雨戸装置を提供する。【解決手段】  窓２の室外側に配置される枠３と、その上枠３ａと下枠３ｂ間に引違いに開閉可能に設けられる内雨戸４と外雨戸５からなる４枚建ての雨戸とを備え、内雨戸４と外雨戸５を全開時に重なった状態で両縦枠３ｃ，３ｃより外側に突出した状態に保持するように構成し、縦枠３ｃと内雨戸４又は外雨戸５とに、及び内雨戸４と外雨戸５とに全閉時に互いに係合して隙間を覆う全閉時用係合部３７ａ，３７ｂ，３７ｃ，３７ｄを設ける。【選択図】          図４
2005207009.tif 000002
【特許請求の範囲】
【請求項１】
建物の開口部に設けられた窓の室外側に配置される上枠、下枠及び左右の縦枠からなる枠と、上枠と下枠間に引違いに開閉可能に設けられる内雨戸と外雨戸からなる４枚建ての雨戸とを備え、内雨戸と外雨戸が全開時に重なった状態で両縦枠より外側に突出した状態に保持されるように構成され、縦枠と内雨戸又は外雨戸とに、及び内雨戸と外雨戸とに全閉時に互いに係合して隙間を覆う全閉時用係合部を設けたことを特徴とする雨戸装置。
【請求項２】
建物の開口部に設けられた窓の室外側に配置される上枠、下枠及び左右の縦枠からなる枠と、上枠と下枠間に引違いに開閉可能に設けられる内雨戸と外雨戸からなる４枚建ての雨戸とを備え、内雨戸と外雨戸が全開時に重なった状態で両縦枠より外側に突出した状態に保持されるように構成され、少なくとも縦枠と内雨戸又は外雨戸とに全開時に互いに係合して隙間を覆う全開時用係合部を設けたことを特徴とする雨戸装置。
【発明の詳細な説明】
【技術分野】
【０００１】
本発明は、雨戸が両開きにスライド開閉する雨戸装置に係り、特に雨戸を４枚建てにした雨戸装置に関する。
【背景技術】
【０００２】
従来の雨戸装置としては、例えば実開昭５３−１６１５４９号公報に記載されているもの（前者）や特開平８−１５１８７１号公報に記載されているもの（後者）が知られている。前者の雨戸装置は、窓枠の上枠の外壁の屋外側に雨戸用上レールを設け、窓枠の下枠の下面に雨戸用下レールを設け、雨戸用上レールの両側延長線上に雨戸用延長上レールを設け、雨戸用下レールの両側延長線上に雨戸用延長下レールを設けている。雨戸の上框には雨戸用上レール及び雨戸用延長上レール上を走行する吊車が設けられ、雨戸の下框には雨戸用下レール及び雨戸用延長下レール上を案内されるガイド片が設けられている。
【０００３】
後者の雨戸装置は、窓の上方に設けられ、間隔を開けて対向した戸車を長手方向に複数有する上雨戸レールと、窓の下方に設けられる下雨戸レールと、一端の上下に突起を有し、上端に設けられた水平フランジが前記戸車に載置され、下端が下雨戸レールに嵌合されて左右にスライド自在に複数取付けられる雨戸本体と、雨戸本体の一端の上または下の突起を係止して雨戸本体を上下の雨戸レールの延長線上に突出した状態に固定する溝を有し、上下の雨戸レールの一端に各々設けられるエンドテーブルとを備えている。水平フランジは雨戸本体に設けた可動レールといえる。
【０００４】
【特許文献１】実開昭５３−１６１５４９号公報
【特許文献２】特開平８−１５１８７１号公報
【発明の開示】
【発明が解決しようとする課題】
【０００５】
しかしながら、何れの雨戸装置においても、開口幅が大きくなると、雨戸の全開時に両側方へ突出する雨戸の側方突出量（出幅）が大きくなるという問題がある。また、雨戸が屋外に配置されている構造上、風の巻き込みによりバタツキを生じ易く、耐風圧性に劣る。雨戸全閉状態時には、縦枠と雨戸の隙間から光が入り、日射遮蔽性に劣り、或いは縦枠と雨戸の隙間からバール等を挿入して錠装置が破壊ないし解錠される恐れがあり、防犯性に劣る。
【０００６】
本発明は、上記事情を考慮してなされたものであり、開口幅が大きくても全開時の雨戸の側方突出量を抑えることができると共に耐風圧性、日射遮蔽性及び防犯性の向上が図れる雨戸装置を提供することを目的とする。
【課題を解決するための手段】
【０００７】
本発明のうち、請求項１の発明は、建物の開口部に設けられた窓の室外側に配置される上枠、下枠及び左右の縦枠からなる枠と、上枠と下枠間に引違いに開閉可能に設けられる内雨戸と外雨戸からなる４枚建ての雨戸とを備え、内雨戸と外雨戸が全開時に重なった状態で両縦枠より外側に突出した状態に保持されるように構成され、縦枠と内雨戸又は外雨戸とに、及び内雨戸と外雨戸とに全閉時に互いに係合して隙間を覆う全閉時用係合部を設けたことを特徴とする雨戸装置。
【０００８】
請求項２の発明は、建物の開口部に設けられた窓の室外側に配置される上枠、下枠及び左右の縦枠からなる枠と、上枠と下枠間に引違いに開閉可能に設けられる内雨戸と外雨戸からなる４枚建ての雨戸とを備え、内雨戸と外雨戸が全開時に重なった状態で両縦枠より外側に突出した状態に保持されるように構成され、少なくとも縦枠と内雨戸又は外雨戸とに全開時に互いに係合して隙間を覆う全開時用係合部を設けたことを特徴とする。
【発明の効果】
【０００９】
請求項１の発明によれば、建物の開口部に設けられた窓の室外側に配置される上枠、下枠及び左右の縦枠からなる枠と、上枠と下枠間に引違いに開閉可能に設けられる内雨戸と外雨戸からなる４枚建ての雨戸とを備え、内雨戸と外雨戸が全開時に重なった状態で両縦枠より外側に突出した状態に保持されるように構成され、縦枠と内雨戸又は外雨戸とに、及び内雨戸と外雨戸とに全閉時に互いに係合して隙間を覆う全閉時用係合部を設けているため、耐風圧性、日射遮蔽性及び防犯性の向上が図れる。
【００１０】
請求項２の発明によれば、建物の開口部に設けられた窓の室外側に配置される上枠、下枠及び左右の縦枠からなる枠と、上枠と下枠間に引違いに開閉可能に設けられる内雨戸と外雨戸からなる４枚建ての雨戸とを備え、内雨戸と外雨戸が全開時に重なった状態で両縦枠より外側に突出した状態に保持されるように構成され、少なくとも縦枠と内雨戸又は外雨戸とに全開時に互いに係合して隙間を覆う全開時用係合部を設けているため、耐風圧性の向上が図れる。
【発明を実施するための最良の形態】
【００１１】
以下に、本発明を実施するための最良の形態について、添付図面を基に詳述する。図１は本発明の第１実施形態である雨戸装置を示す全開時の室外側正面図、図２は全閉時の同雨戸装置を示す図で、（ａ）は室外側正面図、（ｂ）は側面図、（ｃ）は概略的横断面図、図３は同雨戸装置の縦断面図、図４は同雨戸装置の全閉時の横断面図、図５は同雨戸装置の全開時の横断面図である。
【００１２】
これらの図において、１は雨戸装置で、図示例の雨戸装置はユニット化された鎧戸セットとして形成されている。この雨戸装置１は、建物の開口部に設けられた窓２の室外側に配置される上枠３ａ、下枠３ｂ及び左右の縦枠３ｃ，３ｃからなる枠３と、上枠３ａと下枠３ｂ間に引違いで左右両開きに開閉可能に設けられる４枚建ての内外の雨戸（例えば鎧戸、戸体ともいう。）４，４，５，５とを備えている。前記窓２としては、例えば引違い窓サッシが好適である。この引違い窓サッシは、上枠６ａ、下枠６ｂ及び左右の縦枠６ｃ，６ｄからなるサッシ枠（窓枠）６と、このサッシ枠６内に引違いにスライド開閉自在に設けられた内外の障子７，８とを備えている。特に、図示例の窓サッシ（２）は、左右の縦枠６ｃ，６ｄの室外面に図示しない縦枠カバー材を着脱自在に備えており、雨戸装置１を取付ける場合、前記縦枠カバー材が取外され、左右の縦枠６ｃ，６ｄの室外側に雨戸装置１の左右の縦枠３ｃ，３ｃの室内側が当接配置されるようになっている。なお、９は開口部の室内側に設けられた額縁である。
【００１３】
雨戸装置１の枠３を構成する上枠３ａ、下枠３ｂ及び左右の縦枠３ｃ，３ｃは、例えばアルミ押出形材からなっている。枠３は、上枠３ａと下枠３ｂの両端部相互間に縦枠３ｃ，３ｃを挟み込んでネジ止めにより組み立ててなり、上枠３ａ及び下枠３ｂの両端部が露出する横通し組立構造が採用されている。上枠３ａ及び下枠３ｂの両端部には端部キャップ（図示省略）が取付けられる。前記枠３の上枠３ａ及び下枠３ｂが建物の躯体の外壁に固着具例えばネジ１０で固定される。上枠３ａの室外面と、下枠３ｂの室外面とには、ネジ１０を隠すため及び装飾用として、例えばアルミ押出形材からなる上枠カバー材１１ａと、下枠化粧カバー材１１ｂとがそれぞれネジ１２で着脱自在に取付けられる。
【００１４】
本実施形態ないし実施例の雨戸は、閉鎖時に中央で突合される左右一対の外雨戸５，５と、両側の一対の内雨戸４，４とからなる、内−外−外−内の配置構成になっている。内外の雨戸４，５は、上框１３ａ、下框１３ｂ及び左右の縦框１３ｃ，１３ｄからなる框組１３内に波状ないし鎧状の金属プレート１４を組込んでなる。少なくとも上枠３ａには内雨戸４の上部をスライド可能に支持する内雨戸用レール１５が設けられ、内雨戸４の上部には外雨戸５の上部をスライド可能に支持する外雨戸用レール１６が設けられ、これら内雨戸用レール１５及び外雨戸用レール１６を介して内雨戸４と外雨戸５が全開時に重なった状態で両縦枠３ｃより外側（外側方）に突出した状態に保持されるようになっている。なお、外雨戸用レール１６は内雨戸４の上部ではなく上枠３ａに設けられていても良い。
【００１５】
建物の開口部は、一例を示せば横幅が１７００ｍｍ、縦幅が１２６５ｍｍである。雨戸装置１は、上枠３ａの長さが１８０８ｍｍ、内雨戸４の横幅が４４９．５ｍｍ、外雨戸５の横幅が４８５ｍｍである。内雨戸用レール１５及び外雨戸用レール１６は、図６ないし図７にも示すように、対向する２つのレール（第１レールと第２レール）１７ａ，１７ｃを中間レール１７ｂを介して（挟んで）スライド可能に接続したスライドレールにより構成されていることが、内雨戸４を全開時に両縦枠３ｃより外側方（外雨戸５を全閉時に内雨戸４より内側方）に突出した状態に保持する際にその突出量（出幅）の増大及び支持力の増大が図れる点で好ましい。
【００１６】
内雨戸用レール（スライドレール）１５は、上枠３ａに固定される第１レール１７ａと、該第１レール１７ａに中間レール１７ｂを介してスライド自在に支持された左右の第２レール１７ｃとを有し、該第２レール１７ｃが内雨戸４の上部背面部、すなわち上框１３ａの室内面に取付けられている。上枠３ａは、上枠カバー材１１ａを取付けた状態で横断面略逆Ｕ字状に形成されており、その下向きの凹溝１８内の室外面に第１レール１７ａがネジで着脱自在に取付けられている。前記内雨戸４の上框１３ａの室内面に対して前記第２レール１７ｃがネジで取付けられている。上枠３ａに対して上枠カバー材１２ａは、凹溝１６側からネジ１３で着脱自在に取付けられている。
【００１７】
第１レール１７ａは、上枠３ａの略全長に対応する長さの一本のレールからなっていることが左右に分割されているものよりも左右バランスよく正確且つ容易に取付けることができ、雨戸の戸締り性ないし施錠性の向上が図れる上で好ましい。但し、第１レール１７ａはこれに限定されず、内雨戸４の横幅に対応する長さで左右に分割されていても良い。中間レール１７ｂと第２レール１７ｃは、内雨戸４の横幅と略同じ長さとされる。第１レール１７ａと第２レール１７ｃは、共に室内外方向の寸法を抑えた扁平形の横断面略Ｃ字状に形成され内、内側（内部）に中間レール１７ｂを挟み込む（覆い包む）ように相対
して配置されている。中間レール１７ｂには第１レール１７ａの上下の溝１９と、第２レール１７ｃの上下の溝１９にそれぞれ対向する４つの溝２０が形成されており、各対向する溝１９，２０間にはボールベアリングとしてのボール（鋼球）２１が複数個ずつ設けられている。第１レール側には、第１レール側の上下のボール２１を第１レールの長手方向に所定の間隔で回転自在に保持する第１レール側のボールリテーナー２２がレール長手方向に移動自在に設けられている。第２レール側には、第２レール側の上下のボール２１を第２レールの長手方向に所定の間隔で回転自在に保持する第２レール側のボールリテーナー２３がレール長手方向に移動自在に設けられている。
【００１８】
第２レール１７ｃの伸張時（雨戸の全開時）にその最大伸張位置を規定するために、第２レール１７ｃの後端部（収縮側）には第２レール側のボールリテーナー２３の後端部に当接して第２レールの伸張方向への移動を停止させる第１ストッパー２４が設けられ、中間レール１７ｂの先端部（伸張側）には第２レール側のボールリテーナー２３の先端部に当接して当該ボールリテーナー２３の伸張方向への移動を停止させる第２ストッパー２５が設けられている。また、中間レール１７ｂの後端（収縮側）には第１レール側のボールリテーナー２２の後端部に当接して中間レールの伸張方向への移動を停止させる第３ストッパー２６が設けられ、第１レール１７ａの先端部（伸張側）には第１レール側のボールリテーナー２２の先端部に当接して当該ボールリテーナー２２の伸張方向への移動を停止させる第４ストッパー２７が設けられている。
【００１９】
外雨戸用レール（スライドレール）１６は、第１レール１７ａ、第２レール１７ｃ、中間レール１７ｂが外雨戸５の横幅と略同じ長さとされている以外は、内雨戸用レール（スライドレール）１５と略同様に構成されている。外雨戸用レール（スライドレール）１６においては、第１レール１７ａが内雨戸４の上部である上框１３ａの室外面に取付けられ、第２レール１７ｃが外雨戸５の上部である上框１３ａの室内面に取付けられている。スライドレールのボールベアリングに注入された潤滑材例えばグリースが雨で洗い流されるのを防止するために、内外の雨戸４，５の上部である上框１３ａには、スライドレールの上部、特に雨戸全開時に上枠３ａの外側方へ突出される中間レール及び第２レールの上部を覆う覆い部（雨避け）２８が設けられていることが好ましい。
【００２０】
雨戸装置１の下枠３ｂは、内外の雨戸４，５の下部を収容する凹部２９が形成されている。この凹部２９は室外側及び左右両端が開放されている。内外の雨戸４，５の下部を案内するために、前記下枠３ｂにもスライドレールが設けられていても良いが、構造の簡素化及びコストの低減を図るために、内外の雨戸４，５の下部背面部である下框１３ｂの室内面にはガイド板部３０が長手方向に沿って設けられ、下枠３ｂには前記ガイド板部３０を案内する上向きに開口したガイド溝３１が長手方向に沿って設けられている。ガイド溝３１にはごみの侵入を防止するモヘア３２が設けられていることが好ましい。また、ガイド溝３１内の長手方向両端部には雨戸４，５の振れ（揺動）すなわちガイド板部３０の室内外方向への振れを抑制する樹脂製の振れ止め部材３３が取付けられていることが好ましい。なお、下枠３ｂは、図示例では図３に示すように内雨戸４に対応する基部側部材３ｂ１と外雨戸５に対応する前部側部材３ｂ２とに分割可能に構成されているが、分割可能に構成されていなくても良い。
【００２１】
前記上枠３ａには左右の雨戸の開閉操作を容易にするために連動機構３４が設けられていることが好ましい。本実施例の連動機構３４は、左右の外雨戸５，５の開閉動作を連動させるようになっている。連動機構３４は、一端が一方の外雨戸５の合掌框１３ｃ側に、他端が他方の外雨戸５の合掌框１３ｃ側にそれぞれ止め具（図示省略）を介して止着された左右一対のワイヤ３５、３５と、上枠３ａの左右両端部に配設されて各ワイヤ３５の中間部を巻き掛けた滑車３６，３６とから主に構成されている。一方の止め具はワイヤ３５の張力を調整できるようになっている。連動機構３４によれば、引違い窓サッシ２の他方の障子７の室内側が家具で塞がっていて、当該障子７を開けて当該障子側の雨戸５を開閉操作することができない場合でも、一方の障子８を開けて当該障子側の雨戸５を開閉操作するだけで、これと連動して他方の雨戸５も開閉することができる。
【００２２】
雨戸全閉（閉鎖）時の日射遮蔽性、防犯性及び耐風圧性（風の巻き込みによる雨戸のガタツキの防止）の向上を図るため、及び外雨戸５の閉動作に内雨戸４を連動させるために、縦枠３ｃと内雨戸４の対向部、及び内雨戸４と外雨戸５の対向部には、雨戸全閉時に互いに係合して両者間の隙間を覆う全閉時用係合部（返し部ともいう）３７ａと３７ｂ、３７ｃと３７ｄがそれぞれ設けられている。係合部３７ａと３７ｃは、縦枠３ｃの室外面と、内雨戸４の内縦框１３ｃの室外面とに外側方に向いた断面略Ｌ字状に突出形成されている。係合部３７ｂと３７ｄは、内雨戸４の外縦框１３ｄの室内面と、外雨戸５の外縦框１３ｄの室内面とに内側方に向いた断面略Ｌ字状に突出形成されている。
【００２３】
また、雨戸全開（開放）時の耐風圧性の向上を図るため、及び外雨戸５の開動作に内雨戸４を連動させるために、縦枠３ｃと内雨戸４の対向部、及び内雨戸４と外雨戸５の対向部には、雨戸全閉時に互いに係合して両者間の隙間を覆う全閉時用係合部（返し部）３８ａと３８ｂ、３８ｃと３８ｄがそれぞれ設けられている。係合部３８ａと３８ｃは、縦枠３ｃの室外面と、内雨戸４の内縦框１３ｃの室外面とに内側方に向いた断面略Ｌ字状に突出形成されている。係合部３８ｂと３８ｄは、内雨戸４の内縦框１３ｃの室内面と、外雨戸５の内縦框１３ｃの室内面とに外側方に向いた断面略Ｌ字状に突出形成されている。前記係合部３７ａは内雨戸４の閉位置を規制するストッパーとしての機能を有し、係合部３８ａは内雨戸４の開位置を規制するストッパーとしての機能を有している。
【００２４】
左右の外雨戸５，５における一方の内框（合掌框）１３ｃの室内面にはその高さ方向略中央部に錠装置である鎌錠３９が設けられ、他方の内框（合掌框）１３ｃには施錠時に鎌錠３９から回動しながら突出する円弧状の鎌形ボルトを引っ掛けるための受座（図示省略）が設けられている。
【００２５】
以上の構成からなる雨戸装置１によれば、建物の開口部に設けられた窓２の室外側に配置される上枠３ａ、下枠３ｂ及び左右の縦枠３ｃ，３ｃからなる枠３と、上枠３ａと下枠３ｂ間に引違いで左右両開きに開閉可能に設けられる４枚建ての内外の雨戸４，４，５，５とを備え、少なくとも上枠３ａには内雨戸４の上部をスライド可能に支持する内雨戸用レール１５が設けられ、内雨戸４の上部又は上枠３ａには外雨戸５の上部をスライド可能に支持する外雨戸用レール１６が設けられ、これら内雨戸用レール１５及び外雨戸用レール１６を介して内雨戸４と外雨戸５が全開時に重なった状態で両縦枠３ｃ，３ｃより外側に突出した状態に保持されるため、雨戸の全閉時及び全開時にレールが露出することがなく意匠性の向上及び安全性の向上が図れると共に、４枚建てとすることにより開口幅が大きくても全開時の雨戸４，５の側方突出量を抑えることができて意匠性の向上が図れる。
【００２６】
内雨戸用レール１５及び外雨戸用レール１６は、内雨戸４と外雨戸５が全開時に重なった状態で両縦枠３ｃ、３ｃより外側に突出した状態に保持可能とするために対向する２つのレール１７ａ，１７ｃを中間レール１７ｂを介してスライド可能に接続したスライドレールにより構成されているため、内雨戸４を全開時に両縦枠３ｃ，３ｃより外側方（外雨戸５を全閉時に内雨戸４より内側方）に突出した状態に保持する際に両者の重なり量を小さくしてその突出量（出幅）の増大及び支持力の増大が図れる。また、内雨戸用レール（スライドレール）１５においては、第１レール１７ａが上枠３ａの略全長に取付けられる一本のレールからなるため、第１レール１７ａの脱着を伴うメンテナンスを行う場合、第１レール１７ａが左右に分割されているものと異なり、第１レール１７ａを左右バランスよく正確且つ容易に取付けることができ、施工性及び戸締り性の向上が図れる。
【００２７】
前記縦枠３ｃと内雨戸５とに及び内雨戸４と外雨戸５とには、雨戸全閉時に互いに係合して隙間を覆う全閉時用係合部３７ａと３７ｂ,３７ｃと３７ｄが設けられているため、風の巻き込みによる雨戸４，５のバタツキを抑制することができ、雨戸４，５の全閉時における耐風圧性の向上が図れる。また、縦枠３ｃと内雨戸５間及び内雨戸４と外雨戸５間の隙間がそれぞれ覆われるため、日射遮蔽性の向上が図れると共に、隙間からバール等を挿入して錠装置（鎌錠）４２が解錠されたり破壊される恐れがなく、防犯性の向上が図れる。更に、前記縦枠３ｃと内雨戸４とに及び内雨戸４と外雨戸５とには雨戸全開時に互いに係合して隙間を覆う全開時用係合部３８ａと３８ｂ，３８ｃと３８ｄが設けられているため、風の巻き込みによる雨戸４，５のバタツキを抑制することができ、内外雨戸４，５の全開時における耐風圧性の向上が図れる。
【００２８】
また、本実施形態の雨戸装置においては、雨戸が内−外−外−内の配置構成になっているため、室外側から両手で閉鎖状態の両外雨戸５，５の外縦框１３ｄ、１３ｄ部分を掴んで雨戸装置１を一人で容易に持ち運ぶことができ、施工性の向上が図れる。なお、外雨戸５と内雨戸４を連動させる連動機構として、例えば内雨戸の上端部及び／又は下端部に左右一対の滑車を設け、両滑車に閉ループ状のワイヤを巻き掛け、該ワイヤを縦枠と外雨戸に固定することにより、外雨戸と内雨戸が２対１のストローク比で連動するようにしても良い。この連動機構を用いれば、連動時の雨戸同士の干渉音の発生を防止することができる。
【００２９】
図８は本発明の第２実施形態である雨戸装置の全閉時の横断面図、図９は同雨戸装置の全開時の横断面図である。本実施形態において、前記実施形態と同一部分は同一符号を付して説明を省略する。本実施形態の雨戸装置１においては、外雨戸５の内縦框１３ｃの室内面に、全開時に縦枠３ｃの全開時用係合部３８ａに係合される全開時用係合部３８ｆが設けられている。この全開時用係合部３８ｆは第１実施形態における全開時用係合部３８ｄを室内側に延長させた形状になっている。外雨戸５の全開時用係合部３８ｆが内雨戸４の内側端部に当接することにより外雨戸５の開動作に内雨戸４を連動させることができる。従って、内雨戸４には縦枠３ｃの全開時用係合部３８ａに係合する全開時用係合部３８ｂと、外雨戸５の全開時用係合部に係合する全開時用係合部３８ｃとが設けられていない。本実施形態の雨戸装置によれば、前記実施形態と略同様の効果を奏することができる他に、外雨戸の全開時用係合部により雨戸全開時に内雨戸を内側から覆い隠すことができ、意匠性の向上が図れる。
【００３０】
図１０は本発明の第３実施形態である雨戸装置の縦断面図、図１１は同雨戸装置の全閉時の横断面図、図１２は同雨戸装置の全開時の横断面図である。本実施形態において、前記実施形態と同一部分は同一符号を付して説明を省略する。本実施形態の雨戸装置１においては、閉鎖時に中央で突合される左右一対の内雨戸４，４と、両側の一対の外雨戸５，５とからなる、外−内−内−外の配置構成になっている。外雨戸５の外縦框１３ｄの室内面には縦枠１３ｃの雨戸全閉時用係合部３７ａに係合する全閉時用係合部３７ｅが設けられ、外雨戸５の内縦框１３ｃの室内面と内雨戸４の外縦框１３ｄの室外面とには雨戸全閉時に係合する雨戸全閉時用係合部（返し部）３７ｆ，３７ｇが設けられている。
【００３１】
また、本実施形態においては、連動機構３４が内雨戸４，４同士の開閉動作を連動させるように構成されている。更に、下枠３ｂには、内雨戸４の下部をスライド可能に支持する内雨戸用レール（スライドレール）１５が設けられている。本実施形態の雨戸装置によれば、前記第１実施形態と略同様の効果を奏することができる他に、外雨戸５の全閉時用係合部３７ｅにより内雨戸４を外側から覆い隠すことができ、意匠性の向上が図れる。
【００３２】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、雨戸装置は窓とは別体でユニット化されているが、窓と一体に形成されていても良い。スライドレールの円滑な動きを確保するためにボールベアリングが採用されているが、ボールベアリングに代えて車輪、ローラ等を採用しても良い。
【図面の簡単な説明】
【００３３】
【図１】本発明の第１実施形態である雨戸装置を示す全開時の室外側正面図である。
【図２】全閉時の同雨戸装置を示す図で、（ａ）は室外側正面図、（ｂ）は側面図、（ｃ）は概略的横断面図である。
【図３】同雨戸装置の縦断面図である。
【図４】同雨戸装置の全閉時の横断面図である。
【図５】同雨戸装置の全開時の横断面図である。
【図６】スライドレールの一例を示す図で、（ａ）は横断面図、（ｂ）は全閉時の右半分の縦断面図、（ｃ）は全開時の右側部分の縦断面図である。
【図７】スライドレールの配置構造を示す図で、（ａ）は全開時の平面図、（ｂ）は全閉時の平面配置図である。
【図８】本発明の第２実施形態である雨戸装置の全閉時の横断面図である。
【図９】同雨戸装置の全開時の横断面図である。
【図１０】本発明の第３実施形態である雨戸装置の縦断面図である。
【図１１】同雨戸装置の全閉時の横断面図である。
【図１２】同雨戸装置の全開時の横断面図である。
【符号の説明】
【００３４】
１  雨戸装置
２  窓
３  枠
３ａ  上枠
３ｂ  下枠
３ｃ  縦枠
４  内雨戸
５  外雨戸
１５  内雨戸用レール
１６  外雨戸用レール
３７ａ，３７ｂ,３７ｃ，３７ｄ  全閉時用係合部
３８ａ，３８ｂ，３８ｃ，３８ｄ  全開時用係合部
３７ｅ，３７ｆ，３７ｇ  全閉時用係合部
３８ｆ  全開時用係合部
【図１】
2005207009.tif 000003
【図２】
2005207009.tif 000004
【図３】
2005207009.tif 000005
【図４】
2005207009.tif 000006
【図５】
2005207009.tif 000007
【図６】
2005207009.tif 000008
【図７】
2005207009.tif 000009
【図８】
2005207009.tif 000010
【図９】
2005207009.tif 000011
【図１０】
2005207009.tif 000012
【図１１】
2005207009.tif 000013
【図１２】
2005207009.tif 000014